(57)【特許請求の範囲】
【請求項１】
回路基板に取り付けられた光源と、この光源の前方に配置された光透過性の導光体と、この導光体の前面側に載置され、前記光源の点灯によって透過表示される表示部を有する表示板と、前記光源を囲み前記導光体を貫通して、前記回路基板と前記表示板との間に配置された柔軟性を有する合成ゴムからなる遮光性の筒体とを備え、前記筒体は、前記表示板と前記導光体とで挟持される鍔部を有していることを特徴とする表示装置。
【請求項２】
前記筒体が白系統の色であることを特徴とする請求項１に記載の表示装置。
【発明の詳細な説明】
【０００１】
【発明の属する技術分野】
本発明は、例えば車両用の表示装置に関し、特にパイロット表示部を備えた表示装置に関するものである。
【０００２】
【従来の技術】
例えば車両用の表示装置は、通常、速度や燃料残量などを表示する表示器と、ターンシグナル，ハイビームおよび各種ウォーニングなどを表示するパイロット表示部を備えている。この様な表示装置の一例として、特開平８−３２７４０８号公報に示された計器がある。
【０００３】
前記計器は車両の燃料計及び水温計を複合した計器ユニットを構成する表示板７の一箇所に、警告用光源９により照明される特定指標（パイロット表示部）１２を設けてなるものであり、警告用光源９の光を特定指標１２に導くために合成樹脂製の案内筒１０を表示板７の裏面とプリント基板２との間に配置し、この案内筒１０の上端側は係止部１３によって取付部材４に取付固定され、同様に下端側は係止爪１７によってプリント基板２に取付固定されている。そして、警告用光源９の点灯により案内筒１０内を導かれた照明光で特定指標１２を透過表示するようにしてある。
【０００４】
【発明が解決しようとする課題】
しかしながら、前記従来例においては案内筒１０の上下に係止部１３および係止爪１７をそれぞれ設けなければならず、案内筒１０の形状が複雑になるとともに、前述した如く、取り付けも上下である。また、取付部材４およびプリント基板２に係止部１３および係止爪１７が挿入される穴を設ける必要がある。さらに、取付部材４，プリント基板２および案内筒１０が共に剛性のある部材であるため、各部材の寸法バラツキによっては、各部材間に隙間が生じて振動が加わった際に異音や擦れ粉が発生したり、逆に、例えば案内筒１０の高さが規定寸法以上になると組み付け後の取付部材４あるいは表示板７に変形が生じる虞がある。
【０００５】
本発明はこの様な点に鑑みなされたもので、品質を満足し、コスト的に安価な表示装置を提供することを目的とする。
【０００６】
【課題を解決するための手段】
本発明は前記目的を達成するため、回路基板に取り付けられた光源と、この光源の前方に配置された光透過性の導光体と、この導光体の前面側に載置され、前記光源の点灯によって透過表示される表示部を有する表示板と、前記光源を囲み前記導光体を貫通して、前記回路基板と前記表示板との間に配置された柔軟性を有する合成ゴムからなる遮光性の筒体とを備え、前記筒体は、前記表示板と前記導光体とで挟持される鍔部を有しているものである。
【０００７】
また、前記筒体を白系統の色としたものである。
【０００８】
【発明の実施の形態】
本発明を車両に用いられる表示装置を実施形態として説明する。本実施形態による表示装置は、前面が開口された合成樹脂製のケース１と、このケース１内に収納された回路基板２と、この回路基板２上に回路基板２と導通状態で装着され、前方に延びる回動軸３を有する速度計用の計器本体４と、回動軸３の先端側に固着される指針５と、この指針５の後方に配置され指針５の動作に対応する指示部６やターンシグナル，ハイビームおよび各種ウォーニングなどを表示するパイロット表示部７を有する表示板８と、この表示板８の裏面側に配置される導光体９を備えている。なお、１０はケース１の前面開口側を覆う無色透明な合成樹脂からなる透視板である。
【０００９】
表示板８は、無色透明な基板１１の表面に、指針５の指示対象となる車両の速度を現す目盛，数字などの指示部６となる白色の透過性着色層１２を設け、指示部６以外は黒色の地色層１３を印刷によって設ける。また、パイロット表示部７は基板１１の表面に薄黒色の半透過層１４を設け、この半透過層１４上に、例えばターンシグナル記号を黒色で印刷する。そして表示領域Ａを除いた箇所には前記と同一の黒色の地色層１３を設ける。なお、ターンシグナル記号と地色層１３は同一工程で印刷可能である。
【００１０】
回路基板２は硬質基板からなり、回路基板２には計器本体４を駆動する電子部品（図示せず）とともに、指針５や指示部６を照明する光源としての発光ダイオード１５、及びパイロット表示部７を照明する表示部用発光ダイオード１６などが搭載されている。
【００１１】
導光体９は光透過性の合成樹脂からなり、発光ダイオード１５からの光を導いて指針５や速度計用の指示部６を照明するものである。指示部６は導光体９を透過した光や導光体９の受光部１７から平面部１８に入射した光で透過照明され、指針５は平面部１８の周囲に突設した立ち上がり壁１９の反射面２０に受光部１７から平面部１８に入射した光を導き、この反射面２０で反射させた光で指針５を照明している。
【００１２】
また、平面部１８の裏面側には、表示板８を取付固定する円柱状の取付部２１と、ケース１の底壁２２に取付固定される固定部２３がそれぞれ複数設けてある。この固定部２３は回路基板２を貫通して先端側がケース１の底壁２２に形成した台座２４の凹部内に挿入されてケース１との位置決めがなされている。また、導光体９には先端側に係止爪２５を有する弾性変形可能な係止片２６が回路基板２側に突設してあり、回路基板２に設けた係止孔（図示せず）に係止爪２５が挿入されて回路基板２の裏面に係止するように構成してある。
【００１３】
表示板８に設けられたパイロット表示部７を照明する表示部用発光ダイオード１６の光が周囲に洩れて、他のパイロット表示部（図示せず）や速度計用の指示部６に悪影響を与えることのないように、円形の遮光性の筒体２７が表示板８の裏面と回路基板２との間の表示部用発光ダイオード１６の周囲に配置してある。この筒体２７が配置される導光体９の平面部１８箇所には貫通穴２８が設けられ、貫通穴２８の周囲には回路基板２側に突出するリブ２９が設けてある。このリブ２９で囲まれた中に筒体２７が配置された状態となっている。
【００１４】
筒体２７は柔軟性のある白色の合成ゴムからなり、表示板８側の端縁全周には鍔部３０を有しており、鍔部３０が表示板８と導光体９の平面部１８とで挟持された状態となっている。なお、鍔部３０は全周に設けてあるが部分的でも良い。また、筒体２７は白色に限らず白っぽい灰色や白っぽい黄色などの白系統の色であれば良い。
【００１５】
次に、本実施形態における表示装置の組み付け方法について説明する。まず、計器本体４が装着された回路基板２の係止孔（図示せず）に導光体９に設けた係止爪２５を挿入させることによって、係止爪２５が回路基板２の裏面に係止されて導光体９が回路基板２に組み付けられる。次に、筒体２７を導光体９に設けた貫通穴２８に挿入する。その後、表示板８を導光体９の平面部１８および計器本体４上に載置し、ビス３１を用いて導光体９の取付部２１にねじ締めする。この表示板８を導光体９に組み付け固定することによって、筒体２７の鍔部３０が表示板８と導光体９の平面部１８との間で挟持される。その後、指針５の指針座３２を計器本体４の回動軸３に圧入することによって指針５を固着して計器ユニットを完成させる。
【００１６】
そして、上記計器ユニットをケース１内に収納して、底壁２２の裏面側からビス３１Ａを用いて導光体９に設けた固定部２３にねじ締め後、ケース１の前面開口側を透視板１０で覆って表示装置が組み立てられる。
【００１７】
この様な表示装置においては、指針５や速度計用の指示部６は前述した如く、発光ダイオード１５の点灯によって照明され、パイロット表示部７は、通常は薄黒色の半透過層１４で覆われていて認識し難いが、表示部用発光ダイオード１６が例えば緑色で点灯した際、表示領域Ａが緑色で透過照明し、その中にターンシグナル記号が黒色で視認される。
【００１８】
この様に、鍔部３０を有する筒体２７を導光体９に設けた貫通穴２８に挿入した後、表示板８を組み付けるだけで筒体２７が取り付け固定されるため、組み付け作業性が良い。さらに、筒体２７の形状も単純であり、従ってコスト的に安価となる。また、筒体２７が柔軟性のある合成ゴムからなるため、剛性のある部材に比べて寸法バラツキを吸収でき、異音や擦れ粉が発生したり、変形が生じる虞がない。
【００１９】
また、筒体２７に鍔部３０が設けてあり、この鍔部３０が柔軟性を有するため、鍔部３０が筒体２７を取り付け固定するための箇所としての機能だけでなく、仮に表示板８が振れた場合の緩衝材としての効果もある。また、前述したように計器ユニット化した状態でケース１に組み付けることができるため、表示装置の組み付け作業性も良い。
【００２０】
また、筒体２７を白色としたことにより、表示部用発光ダイオード１６からの光の反射率が高まる。それにより、パイロット表示部７の表示領域Ａがより明るく透過照明されて、パイロット表示部７の視認性がより向上する。
【００２１】
なお、本実施形態においては光源として発光ダイオード１５，１６を用いたが、これに限定するものではない。また、表示板８を導光体９にねじ締めしたが、両面接着テープを用いて表示板８を導光体９に貼り付け固定しても良い。あるいはビス３１と両面接着テープを併用しても良く、他の方法でも良い。また、パイロット表示部７はターンシグナル記号が黒色で視認されるようにしたが、ターンシグナル記号が緑色で透過照明する様に構成しても良く、ターンシグナル記号および半透過層１４は基板１１の裏面側に設けても良い。
【００２２】
【発明の効果】
請求項１に記載の効果としては、品質を満足し、コスト的に安価な表示装置を提供できる。
【００２３】
請求項２に記載の効果としては、請求項１の効果に加えて、表示部の視認性をより高めることができる。
【図面の簡単な説明】
【図１】本発明の実施形態を適用した表示装置の断面図。
【図２】同表示装置の要部断面図。
【符号の説明】
２  回路基板
７  パイロット表示部（表示部）
８  表示板
９  導光体
１６  表示部用発光ダイオード（光源）
１８  平面部
２７  筒体
３０  鍔部
【図１】
0003601057.tif 000002
【図２】
0003601057.tif 000003